(57)【要約】  外観一体性に優れる合わせガラス用中間膜を提供する。  本発明に係る合わせガラス用中間膜は、中間膜の一端側に位置する部分を含む第１の着色部と、中間膜の他端側に位置する部分を含む第２の着色部とを有し、前記第１の着色部は、中間膜の前記一端側から前記他端側に向けて可視光線透過率が高くなる第１のグラデーション部分を有し、前記第１のグラデーション部分は、中間膜の前記他端側における前記第１の着色部の先端を構成しており、前記第２の着色部は、中間膜の前記他端側から前記一端側に向けて可視光線透過率が高くなる第２のグラデーション部分を有し、前記第２のグラデーション部分は、中間膜の前記一端側における前記第２の着色部の先端を構成しており、前記第１のグラデーション部と前記第２のグラデーション部とが特定の位置関係で存在する。
2019221218.tif 000002
【特許請求の範囲】
【請求項１】
一端と、前記一端とは反対側に他端とを有し、
第１の着色部と、第２の着色部とを有し、
前記第１の着色部が、前記第２の着色部よりも中間膜の前記一端側に位置する部分を含み、前記第２の着色部が、前記第１の着色部よりも中間膜の前記他端側に位置する部分を含み、
前記第１の着色部は、中間膜の前記一端側から前記他端側に向けて可視光線透過率が高くなる第１のグラデーション部分を有し、前記第１のグラデーション部分は、中間膜の前記他端側における前記第１の着色部の先端を構成しており、
前記第２の着色部は、中間膜の前記他端側から前記一端側に向けて可視光線透過率が高くなる第２のグラデーション部分を有し、前記第２のグラデーション部分は、中間膜の前記一端側における前記第２の着色部の先端を構成しており、
中間膜は、以下の構成Ａ、構成Ｂ又は構成Ｃを備える、合わせガラス用中間膜。
構成Ａ：「中間膜を平面視したときに、前記第１のグラデーション部分の先端と前記第２のグラデーション部分の先端との位置が同じである」
構成Ｂ：「中間膜を平面視したときに、前記第１のグラデーション部分と前記第２のグラデーション部分とが重なる領域が存在する」
構成Ｃ：「中間膜を平面視したときに、前記第１のグラデーション部分と前記第２のグラデーション部分とが重なっておらず、かつ、中間膜を平面視したときに、前記第１のグラデーション部分の先端と前記第２のグラデーション部分の先端との間の部分の距離が、０ｃｍを超え３０ｃｍ以下である」
【請求項２】
中間膜を平面視したときに、中間膜の全平面積１００％中、前記第１の着色部及び前記第２の着色部の少なくとも一方が存在する部分の平面積が、８０％以上である、請求項１に記載の合わせガラス用中間膜。
【請求項３】
ＪＩＳ  Ｒ３２０８に準拠した、厚み２ｍｍの２枚のグリーンガラスの間に合わせガラス用中間膜を挟み込むことにより合わせガラスを得たときに、合わせガラスの全平面積１００％中、可視光線透過率が６０％以下である部分の平面積が、８０％以上である、請求項１又は２に記載の合わせガラス用中間膜。
【請求項４】
ＪＩＳ  Ｒ３２０８に準拠した、厚み２ｍｍの２枚のグリーンガラスの間に合わせガラス用中間膜を挟み込むことにより合わせガラスを得たときに、合わせガラスの全体の中で、可視光線透過率が最大である部分の可視光線透過率が６０％以下である、請求項１〜３のいずれか１項に記載の合わせガラス用中間膜。
【請求項５】
前記第１の着色部が、中間膜の前記一端に至っており、
前記第２の着色部が、中間膜の前記他端に至っている、請求項１〜４のいずれか１項に記載の合わせガラス用中間膜。
【請求項６】
中間膜の厚み方向において、前記第１の着色部の少なくとも一方の表面側に配置された透明部と、
中間膜の厚み方向において、前記第２の着色部の少なくとも一方の表面側に配置された透明部とを備える、請求項１〜５のいずれか１項に記載の合わせガラス用中間膜。
【請求項７】
バックライト又はブレーキライト表示部に用いられる合わせガラス用中間膜である、請求項１〜６のいずれか１項に記載の合わせガラス用中間膜。
【請求項８】
リアガラス、ルーフガラス又はリアルーフ一体型ガラスに用いられる、請求項１〜７のいずれか１項に記載の合わせガラス用中間膜。
【請求項９】
前記構成Ａ：「中間膜を平面視したときに、前記第１のグラデーション部分の先端と前記第２のグラデーション部分の先端との位置が同じである」を備える、請求項１〜８のいずれか１項に記載の合わせガラス用中間膜。
【請求項１０】
前記構成Ｂ：「中間膜を平面視したときに、前記第１のグラデーション部分と前記第２のグラデーション部分とが重なる領域が存在する」を備える、請求項１〜８のいずれか１項に記載の合わせガラス用中間膜。
【請求項１１】
前記構成Ｃ：「中間膜を平面視したときに、前記第１のグラデーション部分と前記第２のグラデーション部分とが重なっておらず、かつ、中間膜を平面視したときに、前記第１のグラデーション部分の先端と前記第２のグラデーション部分の先端との間の距離が、０ｃｍを超え３０ｃｍ以下である」を備える、請求項１〜８のいずれか１項に記載の合わせガラス用中間膜。
【請求項１２】
第１の合わせガラス部材と、
第２の合わせガラス部材と、
請求項１〜１１のいずれか１項に記載の合わせガラス用中間膜とを備え、
前記第１の合わせガラス部材と前記第２の合わせガラス部材との間に、前記合わせガラス用中間膜が配置されている、合わせガラス。
【請求項１３】
合わせガラスの全平面積１００％中、可視光線透過率が６０％以下である部分の平面積が、８０％以上である、請求項１２に記載の合わせガラス。
【請求項１４】
合わせガラスの全体の中で、可視光線透過率が最大である部分の可視光線透過率が６０％以下である、請求項１２又は１３に記載の合わせガラス。
【請求項１５】
自動車本体と、
自動車の窓ガラスとして合わせガラスとを備え、
前記合わせガラスは、第１の合わせガラス部材と、第２の合わせガラス部材と、請求項１〜１１のいずれか１項に記載の合わせガラス用中間膜とを備え、前記第１の合わせガラス部材と前記第２の合わせガラス部材との間に、前記合わせガラス用中間膜が配置されている、自動車。
【請求項１６】
バックライト又はブレーキライトを備え、
前記中間膜が前記構成Ａを備える場合に、前記第１のグラデーション部分の先端と前記第２のグラデーション部分の先端との位置が同じである部分が、前記バックライト又はブレーキライトの表示部であり、
前記中間膜が前記構成Ｂを備える場合に、前記第１のグラデーション部分と前記第２のグラデーション部分とが重なる領域が、前記バックライト又はブレーキライトの表示部であり、
前記中間膜が前記構成Ｃを備える場合に、前記第１のグラデーション部分の先端と前記第２のグラデーション部分の先端との間の部分が、前記バックライト又はブレーキライトの表示部である、請求項１５に記載の自動車。
【発明の詳細な説明】
【技術分野】
【０００１】
本発明は、合わせガラスに用いられる合わせガラス用中間膜に関する。また、本発明は、上記合わせガラス用中間膜を用いた合わせガラス及び自動車に関する。
【背景技術】
【０００２】
一対のガラス板の間に合わせガラス用中間膜が挟み込まれた合わせガラスが知られている。この合わせガラスは、自動車、鉄道車両、航空機、船舶及び建築物等に広く用いられている。近年、建築物用や自動車用の合わせガラスとして、プライバシー保護性を有する合わせガラスが求められている。プライバシー保護性を有する合わせガラスでは、例えば、光を透過させることができるが、合わせガラスの背後に位置する人又は物体を視認できない領域が存在する。【０００３】
プライバシー保護性を有する合わせガラスの一例として、下記の特許文献１には、不透明な層を有する多層中間膜を用いた合わせガラスが開示されている。この合わせガラスでは、合わせガラスの背後に位置する人又は物体を視認できなくする上記不透明な層によって、プライバシー保護性を実現している。【０００４】
下記の特許文献２，３には、グラデーション模様を有する中間膜を用いた合わせガラスが開示されている。
【先行技術文献】
【特許文献】
【０００５】
【特許文献１】ＷＯ２００６／０８２８００Ａ１
【特許文献２】ＷＯ２０１４／０７７３２８Ａ１
【特許文献３】ＷＯ２０１５／０７２５３８Ａ１
【発明の概要】
【発明が解決しようとする課題】
【０００６】
合わせガラスの設計技術が向上し、合わせガラスの用途が多様化している。また、合わせガラスとして、リアガラスやルーフガラスが知られている。このようなリアガラス及びルーフガラスでは、プライバシー保護性を有する着色合わせガラスが用いられる可能性がある。【０００７】
また、合わせガラスの新たな例として、リアガラスとルーフガラスとが一体となっている又はリアガラスとルーフガラスとが一体となって見えるリアルーフ一体型ガラスが想定される。このようなリアルーフ一体型ガラスでも、プライバシー保護性を有する着色合わせガラスを用いることができる可能性がある。【０００８】
また、一部の国では、自動車にハイマウントストップランプを設置することが義務付けられている。ハイマウントストップランプを車内に設置することにより、自動車の空力特性の向上を期待できる。【０００９】
しかしながら、ルーフガラス、リアガラス、及びリアルーフ一体型ガラスに用いる中間膜として、特許文献１に記載のようなプライバシー保護性を有する着色合わせガラスを用いた場合には、ハイマウントストップランプから発せられる光が、該合わせガラスを十分に透過しないことがある。【００１０】
特許文献２，３の図１等には、中間膜の一端側のみに着色領域を有する中間膜が開示されている。この中間膜では、１つの着色領域の厚みが中間膜の面方向の内側に向かって連続的に減少している。従って、１つの着色領域によって、中間膜にグラデーション模様が付与されている。この中間膜を、ルーフガラス、リアガラス、及びリアルーフ一体型ガラス用中間膜として用いた場合、ハイマウントストップランプから発せられる光は、未着色領域を透過するが、着色領域を十分に透過しにくい。このため、着色領域と未着色領域とがはっきりと分かれて視認される。【００１１】
また、特許文献２，３の図４には、中間膜の一端側と他端側とにそれぞれ着色領域を有する中間膜が開示されている。この中間膜では、２つの着色領域の厚みが中間膜の面方向の内側に向かって連続的に減少している。従って、２つの着色領域によって、中間膜にグラデーション模様が付与されている。しかしながら、この中間膜では、中間膜の面方向の中央に、着色領域が設けられていない未着色領域が大面積で存在する。このため、この中間膜を、ルーフガラス、リアガラス、及びリアルーフ一体型ガラス用中間膜として用いた場合でも、ハイマウントストップランプから発せられる光が、未着色領域を透過するが、着色領域を十分に透過しにくく、２つの着色領域とその間の未着色領域とがはっきりと分かれて視認される。【００１２】
近年、ルーフガラス、リアガラス、及びリアルーフ一体型ガラスの意匠性がより一層高度化し、ハイマウントストップランプから発せられる光を未着色領域で透過させ、かつ、合わせガラスを観察した際には着色領域と未着色領域とが同じ色合いで一体となって見える外観一体性という新たな意匠性が求められる場合がある。しかしながら、特許文献２，３に記載されたような従来の中間膜では着色領域と未着色領域とがはっきりと分かれて視認されるため、合わせガラスを一体的に視認することができない。【００１３】
本発明の目的は、外観一体性に優れる合わせガラス用中間膜を提供することである。【００１４】
また、本発明の目的は、上記合わせガラス用中間膜を用いた合わせガラス及び自動車を提供することである。
【課題を解決するための手段】
【００１５】
本発明の広い局面によれば、一端と、前記一端とは反対側に他端とを有し、第１の着色部と、第２の着色部とを有し、前記第１の着色部が、前記第２の着色部よりも中間膜の前記一端側に位置する部分を含み、前記第２の着色部が、前記第１の着色部よりも中間膜の前記他端側に位置する部分を含み、前記第１の着色部は、中間膜の前記一端側から前記他端側に向けて可視光線透過率が高くなる第１のグラデーション部分を有し、前記第１のグラデーション部分は、中間膜の前記他端側における前記第１の着色部の先端を構成しており、前記第２の着色部は、中間膜の前記他端側から前記一端側に向けて可視光線透過率が高くなる第２のグラデーション部分を有し、前記第２のグラデーション部分は、中間膜の前記一端側における前記第２の着色部の先端を構成しており、中間膜は、以下の構成Ａ、構成Ｂ又は構成Ｃを備える、合わせガラス用中間膜（以下、中間膜と記載することがある）が提供される。【００１６】
構成Ａ：「中間膜を平面視したときに、前記第１のグラデーション部分の先端と前記第２のグラデーション部分の先端との位置が同じである」
構成Ｂ：「中間膜を平面視したときに、前記第１のグラデーション部分と前記第２のグラデーション部分とが重なる領域が存在する」
構成Ｃ：「中間膜を平面視したときに、前記第１のグラデーション部分と前記第２のグラデーション部分とが重なっておらず、かつ、中間膜を平面視したときに、前記第１のグラデーション部分の先端と前記第２のグラデーション部分の先端との間の部分の距離が、０ｃｍを超え３０ｃｍ以下である」【００１７】
本発明に係る中間膜のある特定の局面では、中間膜を平面視したときに、中間膜の全平面積１００％中、前記第１の着色部及び前記第２の着色部の少なくとも一方が存在する部分の平面積が、８０％以上である。【００１８】
本発明に係る中間膜のある特定の局面では、ＪＩＳ  Ｒ３２０８に準拠した、厚み２ｍｍの２枚のグリーンガラスの間に合わせガラス用中間膜を挟み込むことにより合わせガラスを得たときに、合わせガラスの全平面積１００％中、可視光線透過率が６０％以下である部分の平面積が、８０％以上である。【００１９】
本発明に係る中間膜のある特定の局面では、ＪＩＳ  Ｒ３２０８に準拠した、厚み２ｍｍの２枚のグリーンガラスの間に合わせガラス用中間膜を挟み込むことにより合わせガラスを得たときに、合わせガラスの全体の中で、可視光線透過率が最大である部分の可視光線透過率が６０％以下である。【００２０】
本発明に係る中間膜のある特定の局面では、記第１の着色部が、中間膜の前記一端に至っており、前記第２の着色部が、中間膜の前記他端に至っている。【００２１】
本発明に係る中間膜のある特定の局面では、中間膜は、中間膜の厚み方向において、前記第１の着色部の少なくとも一方の表面側に配置された透明部と、中間膜の厚み方向において、前記第２の着色部の少なくとも一方の表面側に配置された透明部とを備える。【００２２】
本発明に係る中間膜のある特定の局面では、中間膜は、バックライト又はブレーキライト表示部に用いられる合わせガラス用中間膜である。【００２３】
本発明に係る中間膜のある特定の局面では、中間膜は、リアガラス、ルーフガラス又はリアルーフ一体型ガラスに用いられる。【００２４】
本発明に係る中間膜のある特定の局面では、中間膜は、前記構成Ａ：「中間膜を平面視したときに、前記第１のグラデーション部分の先端と前記第２のグラデーション部分の先端との位置が同じである」を備える。【００２５】
本発明に係る中間膜のある特定の局面では、中間膜は、前記構成Ｂ：「中間膜を平面視したときに、前記第１のグラデーション部分と前記第２のグラデーション部分とが重なる領域が存在する」を備える。【００２６】
本発明に係る中間膜のある特定の局面では、中間膜は、前記構成Ｃ：「中間膜を平面視したときに、前記第１のグラデーション部分と前記第２のグラデーション部分とが重なっておらず、かつ、中間膜を平面視したときに、前記第１のグラデーション部分の先端と前記第２のグラデーション部分の先端との間の距離が、０ｃｍを超え３０ｃｍ以下である」を備える。【００２７】
本発明の広い局面によれば、第１の合わせガラス部材と、第２の合わせガラス部材と、上述した合わせガラス用中間膜とを備え、前記第１の合わせガラス部材と前記第２の合わせガラス部材との間に、前記合わせガラス用中間膜が配置されている、合わせガラスが提供される。【００２８】
本発明に係る合わせガラスのある特定の局面では、合わせガラスの全平面積１００％中、可視光線透過率が６０％以下である部分の平面積が、８０％以上である。【００２９】
本発明に係る合わせガラスのある特定の局面では、合わせガラスの全体の中で、可視光線透過率が最大である部分の可視光線透過率が６０％以下である。【００３０】
本発明の広い局面によれば、自動車本体と、自動車の窓ガラスとして合わせガラスとを備え、前記合わせガラスは、第１の合わせガラス部材と、第２の合わせガラス部材と、上述した合わせガラス用中間膜とを備え、前記第１の合わせガラス部材と前記第２の合わせガラス部材との間に、前記合わせガラス用中間膜が配置されている、自動車が提供される。【００３１】
本発明に係る自動車のある特定の局面では、前記自動車は、バックライト又はブレーキライトを備え、前記中間膜が前記構成Ａを備える場合に、前記第１のグラデーション部分の先端と前記第２のグラデーション部分の先端との位置が同じである部分が、前記バックライト又はブレーキライトの表示部であり、前記中間膜が前記構成Ｂを備える場合に、前記第１のグラデーション部分と前記第２のグラデーション部分とが重なる領域が、前記バックライト又はブレーキライトの表示部であり、前記中間膜が前記構成Ｃを備える場合に、前記第１のグラデーション部分の先端と前記第２のグラデーション部分の先端との間の部分が、前記バックライト又はブレーキライトの表示部である。
【発明の効果】
【００３２】
本発明に係る合わせガラス用中間膜は、一端と、上記一端とは反対側に他端とを有する。本発明に係る合わせガラス用中間膜は、第１の着色部と、第２の着色部とを有し、上記第１の着色部が、上記第２の着色部よりも中間膜の上記一端側に位置する部分を含み、上記第２の着色部が、上記第１の着色部よりも中間膜の上記他端側に位置する部分を含む。本発明に係る合わせガラス用中間膜では、上記第１の着色部は、中間膜の上記一端側から上記他端側に向けて可視光線透過率が高くなる第１のグラデーション部分を有し、上記第１のグラデーション部分は、中間膜の上記他端側における上記第１の着色部の先端を構成している。本発明に係る合わせガラス用中間膜では、上記第２の着色部は、中間膜の上記他端側から上記一端側に向けて可視光線透過率が高くなる第２のグラデーション部分を有し、上記第２のグラデーション部分は、中間膜の上記一端側における上記第２の着色部の先端を構成している。本発明に係る合わせガラス用中間膜は、上記の構成Ａ、構成Ｂ又は構成Ｃを備える。本発明に係る合わせガラス用中間膜では、上記の全体の構成が備えられているので、外観一体性に優れる。
【図面の簡単な説明】
【００３３】
【図１】図１は、本発明の第１の実施形態に係る合わせガラス用中間膜及び合わせガラスを模式的に示す断面図である。
【図２】図２は、本発明の第２の実施形態に係る合わせガラス用中間膜及び合わせガラスを模式的に示す断面図である。
【図３】図３は、本発明の第３の実施形態に係る合わせガラス用中間膜及び合わせガラスを模式的に示す断面図である。
【図４】図４は、本発明の第４の実施形態に係る合わせガラス用中間膜及び合わせガラスを模式的に示す断面図である。
【図５】図５は、本発明の第５の実施形態に係る合わせガラス用中間膜及び合わせガラスを模式的に示す断面図である。
【図６】図６は、本発明の第６の実施形態に係る合わせガラス用中間膜及び合わせガラスを模式的に示す断面図である。
【図７】図７は、本発明の第７の実施形態に係る合わせガラス用中間膜及び合わせガラスを模式的に示す断面図である。
【図８】図８は、本発明の第８の実施形態に係る合わせガラス用中間膜及び合わせガラスを模式的に示す断面図である。
【図９】図９は、本発明の第９の実施形態に係る合わせガラス用中間膜及び合わせガラスを模式的に示す平面図である。
【図１０】図１０は、本発明の第１０の実施形態に係る合わせガラス用中間膜及び合わせガラスを模式的に示す斜視図である。
【図１１】図１１は、従来の合わせガラスを模式的に示す斜視図である。
【発明を実施するための形態】
【００３４】
以下、本発明を詳細に説明する。
【００３５】
本発明に係る合わせガラス用中間膜（以下、中間膜と記載することがある）は、一端と、上記一端の反対側に他端とを有する。本発明に係る中間膜の一端と他端とは、対向し合う両側の端部である。
【００３６】
本発明に係る中間膜は、第１の着色部と、第２の着色部とを有する。上記第１の着色部が、上記第２の着色部よりも中間膜の上記一端側に位置する部分を含む。上記第２の着色部が、上記第１の着色部よりも中間膜の上記他端側に位置する部分を含む。中間膜の上記一端側における上記第１の着色部の先端は、中間膜の上記一端側における上記第２の着色部の先端よりも、中間膜の上記一端側に位置している。中間膜の上記他端側における上記第２の着色部の先端は、中間膜の上記他端側における上記第１の着色部の先端よりも、中間膜の上記他端側に位置している。
【００３７】
上記第１の着色部は、第１のグラデーション部分を有する。上記第１のグラデーション部分は、中間膜の上記一端側から上記他端側に向けて可視光線透過率が高くなる部分である。この可視光線透過率の変化によって、上記第１のグラデーション部分の色調が変化している。例えば、上記第１のグラデーション部分では、中間膜の上記一端側から上記他端側に向けて、色調が薄くなっている。上記第１のグラデーション部分は、中間膜の上記他端側における上記第１の着色部の先端を構成している。中間膜の上記一端側から上記他端側に向けて可視光線透過率が高くなる部分の先端が、上記第１のグラデーション部分の先端である。
【００３８】
上記第２の着色部は、第２のグラデーション部分を有する。上記第２のグラデーション部分は、中間膜の上記他端側から上記一端側に向けて可視光線透過率が高くなる部分である。この可視光線透過率の変化によって、上記第２のグラデーション部分の色調が変化している。例えば、上記第２のグラデーション部分では、中間膜の上記他端側から上記一端側に向けて、色調が薄くなっている。上記第２のグラデーション部分は、中間膜の上記一端側における上記第２の着色部の先端を構成している。中間膜の上記他端側から上記一端側に向けて可視光線透過率が高くなる部分の先端が、上記第２のグラデーション部分の先端である。
【００３９】
本発明に係る中間膜は、上述した構成とともに、以下の構成Ａ、構成Ｂ又は構成Ｃをさらに備える。
【００４０】
構成Ａ：「中間膜を平面視したときに、上記第１のグラデーション部分の先端と上記第２のグラデーション部分の先端との位置が同じである」
構成Ｂ：「中間膜を平面視したときに、上記第１のグラデーション部分と上記第２のグラデーション部分とが重なる領域が存在する」
構成Ｃ：「中間膜を平面視したときに、上記第１のグラデーション部分と上記第２のグラデーション部分とが重なっておらず、かつ、中間膜を平面視したときに、上記第１のグラデーション部分の先端と上記第２のグラデーション部分の先端との間の部分の距離が、０ｃｍを超え３０ｃｍ以下である」
【００４１】
本発明に係る中間膜では、上記の全体の構成が備えられているので、外観一体性に優れる。本発明に係る中間膜を用いた合わせガラスでは、中間膜の上記第１，第２のグラデーション部分又はその近傍にて、外観一体性に優れている。
【００４２】
本明細書において、「外観一体性」とは、合わせガラス用中間膜を観察したときに、上記第１，第２のグラデーション部分又はその近傍とが同じ色合いで一体となって見える意匠性を意味する。
【００４３】
また、本発明に係る中間膜は、合わせガラスを得るために用いられる。本発明に係る中間膜は、合わせガラスに適した合わせガラス用中間膜である。本発明に係る中間膜は、合わせガラスに用いることができる合わせガラス用中間膜である。上記合わせガラスは、自動車、鉄道車両、航空機、船舶及び建築物等に用いることができる。本発明に係る中間膜及び合わせガラスは、バックライト又はブレーキライト表示部に好適に用いられる。本発明に係る中間膜及び合わせガラスは、リアガラス、ルーフガラス又はリアルーフ一体型ガラスに好適に用いられ、リアルーフ一体型ガラスにより好適に用いられる。本発明に係る中間膜及び合わせガラスは、バックライト又はブレーキライトの表示部を有するリアガラス、バックライト又はブレーキライトの表示部を有するルーフガラス、又はバックライト又はブレーキライトの表示部を有するリアルーフ一体型ガラスに好適に用いられる。
【００４４】
本発明に係る中間膜を用いた合わせガラスにおいて、中間膜の上記第１，第２のグラデーション部分又はその近傍にバックライト又はブレーキライトからの光を当てることにより、バックライト又はブレーキライトの光を、良好に視認することができる。
【００４５】
図１１は、従来の合わせガラス用中間膜及び合わせガラスを模式的に示す斜視図である。図１１に示す中間膜１１１は、合わせガラス１２１とされた状態である。中間膜１１１では、透明部１０１内に、第１のグラデーション部分１０２Ｘを有する第１の着色部１０２のみが形成されており、第２の着色部は形成されていない。このような合わせガラス１２１では、第１のグラデーション部分１０２Ｘの一方側と他方側とがはっきりと分かれて視認され、外観一体性に劣る。
【００４６】
上記第１の着色部は、通常、着色剤を含む。上記第１のグラデーション部分は、以下の（１）及び（２）等の方法により作製することができる。（１）中間膜の上記一端側から上記他端側に向けて、第１の着色部の厚みを薄くする方法。（２）中間膜の上記一端側から上記他端側に向けて、着色剤の濃度を低くする方法。
【００４７】
上記第１のグラデーション部分は、例えば、中間膜の上記一端側から上記他端側に向けて、第１の着色部の厚みが薄くなる部分、又は、中間膜の上記一端側から上記他端側に向けて、第１の着色部における着色剤の濃度が低くなる部分である。グラデーション状態をより一層良好にする観点からは、上記第１のグラデーション部分は、中間膜の上記一端側から上記他端側に向けて、第１の着色部の厚みが薄くなる部分であることが好ましい。
【００４８】
上記第２の着色部は、通常、着色剤を含む。上記第２のグラデーション部分は、以下の（１）及び（２）等の方法により作製することができる。（１）中間膜の上記他端側から上記一端側に向けて、第２の着色部の厚みを薄くする方法。（２）中間膜の上記他端側から上記一端側に向けて、着色剤の濃度を低くする方法。
【００４９】
上記第２のグラデーション部分は、例えば、中間膜の上記他端側から上記一端側に向けて、第２の着色部の厚みが薄くなる部分、又は、中間膜の上記他端側から上記一端側に向けて、第２の着色部における着色剤の濃度が低くなる部分である。グラデーション状態をより一層良好にする観点からは、上記第２のグラデーション部分は、中間膜の上記他端側から上記一端側に向けて、第２の着色部の厚みが薄くなる部分であることが好ましい。
【００５０】
本発明に係る中間膜は、透明部を有していてもよい。
【００５１】
透明部であるか否かは、例えば、以下のようにして判断できる。ＪＩＳ  Ｒ３２０８に準拠した、厚み２ｍｍの２枚のグリーンガラスの間に厚みが８００μｍの透明部を挟み込むことにより合わせガラスを得たときに、合わせガラスの可視光線透過率が６０％を超える場合に、透明部と判断する。透明部は、着色剤を含んでいてもよく、着色剤を含んでいなくてもよい。なお、中間膜の透明部の厚みが８００μｍ未満である場合等に、可視光線透過率測定用の透明部を別途作製してもよい。中間膜の透明部の厚みが８００μｍを超える場合等に、透明部を切断して、可視光線透過率測定用の透明部を得てもよい。
【００５２】
色調の劣化を抑える観点からは、上記中間膜は透明部を備えることが好ましく、中間膜の厚み方向において、上記第１の着色部の少なくとも一方の表面側に透明部が配置されていることが好ましい。色調の劣化を抑える観点からは、中間膜の厚み方向において、上記第１の着色部の両方の表面側に透明部が配置されていることが好ましい。色調の劣化を抑える観点からは、透明部に、上記第１の着色部が埋め込まれていることが好ましい。色調の劣化を抑える観点からは、透明部の間に、上記第１の着色部が配置されていることが好ましい。
【００５３】
色調の劣化を抑える観点からは、上記中間膜は透明部を備えることが好ましく、中間膜の厚み方向において、上記第２の着色部の少なくとも一方の表面側に透明部が配置されていることが好ましい。色調の劣化を抑える観点からは、中間膜の厚み方向において、上記第２の着色部の両方の表面側に透明部が配置されていることが好ましい。色調の劣化を抑える観点からは、透明部に、上記第２の着色部が埋め込まれていることが好ましい。色調の劣化を抑える観点からは、透明部の間に、上記第２の着色部が配置されていることが好ましい。
【００５４】
上記第１の着色部の少なくとも一方の表面側に配置されている透明部と、上記第２の着色部の少なくとも一方の表面側に配置される透明部とは、同一であってもよく、異なっていてもよい。上記第１の着色部の少なくとも一方の表面側に配置されている透明部と、上記第２の着色部の少なくとも一方の表面側に配置される透明部とは、連なっていてもよく、連なっていなくてもよい。
【００５５】
上記中間膜は、上記構成Ａ、上記構成Ｂ又は上記構成Ｃを備える。上記中間膜は、上記構成Ａ又は上記構成Ｂを備えていてもよく、上記構成Ａ又は上記構成Ｃを備えていてもよく、上記構成Ｂ又は上記構成Ｃを備えていてもよい。上記中間膜は、上記構成Ａを備えていてもよく、上記構成Ｂを備えていてもよく、上記構成Ｃを備えていてもよい。
【００５６】
上記構成Ａでは、中間膜を平面視したときに、上記第１のグラデーション部分の先端と上記第２のグラデーション部分の先端との位置が同じである。上記第１のグラデーション部分の先端と上記第２のグラデーション部分の先端とが接していなくてもよい。上記第１のグラデーション部分の先端と上記第２のグラデーション部分の先端とが接していることが好ましい。上記第１のグラデーション部分の先端と上記第２のグラデーション部分の先端との位置が同じである部分において、境界線があってもよく、境界線がなくてもよく、境界面があってもよく、境界面がなくてもよい。上記第１の着色部と、上記第２の着色部とが一体的に形成されていてもよい。上記第１のグラデーション部分の先端と上記第２のグラデーション部分の先端とが一体的に形成されていてもよい。上記第１のグラデーション部分の先端と上記第２のグラデーション部分の先端とは、面接触していてもよく、点接触していてもよい。
【００５７】
上記構成Ａにおいて、上記第１，第２のグラデーション部分を、一体的に視認することができる。このため、中間膜及び合わせガラスの外観一体性に優れる。中間膜を平面視したときに、上記第１のグラデーション部分の先端と上記第２のグラデーション部分の先端との位置が同じである部分を中心として、両側に向けて色調が濃くなるグラデーション模様を視認することができる。
【００５８】
上記構成Ｂでは、中間膜を平面視したときに、上記第１のグラデーション部分と上記第２のグラデーション部分とが重なる領域が存在する。上記第１のグラデーション部分が、上記第２のグラデーション部分の先端よりも、中間膜の上記他端側に位置する部分を含む。上記第２のグラデーション部分が、上記第１のグラデーション部分の先端よりも、中間膜の上記一端側に位置する部分を含む。中間膜の上記他端側における上記第１のグラデーション部分の先端は、中間膜の上記一端側における上記第２のグラデーション部分の先端よりも、中間膜の上記他端側に位置している。中間膜の上記一端側における上記第２のグラデーション部分の先端は、中間膜の上記他端側における上記第１のグラデーション部分の先端よりも、中間膜の上記一端側に位置している。
【００５９】
上記構成Ｂでは、上記第１のグラデーション部分と上記第２のグラデーション部分とが重なる領域において、上記第１のグラデーション部分と上記第２のグラデーション部分とは、中間膜の厚み方向において、面接触していてもよく、面接触していなくてもよい。上記第１のグラデーション部分と上記第２のグラデーション部分との間に、透明部が配置されていてもよい。
【００６０】
上記第１のグラデーション部分と上記第２のグラデーション部分とが重なる距離は、好ましくは３０ｃｍ以下、より好ましくは２０ｃｍ以下、更に好ましくは１５ｃｍ以下、特に好ましくは１０ｃｍ以下、最も好ましくは５ｃｍ以下である。
【００６１】
上記重なる距離は、中間膜の上記一端と上記他端とを結ぶ方向での距離であることが好ましい。
【００６２】
上記構成Ｂでは、中間膜の厚み方向において、上記第１の着色部と上記第２の着色部とは互いに、異なる深さ位置で存在していることが好ましい。この場合、合わせガラスを観察する方向や角度によって色合いが異なる意匠性を発現させることができる。
【００６３】
外観一体性をより一層高める観点からは、中間膜を平面視したときに、上記構成Ｂでは、上記第１のグラデーション部分と上記第２のグラデーション部分とが重なっていない領域が更に存在することが好ましい。上記第１のグラデーション部分が、上記第２のグラデーション部分よりも、中間膜の上記一端側に位置する部分を含むことが好ましい。上記第２のグラデーション部分が、上記第１のグラデーション部分よりも、中間膜の上記他端側に位置する部分を含むことが好ましい。中間膜の上記一端側における上記第１のグラデーション部分の先端は、中間膜の上記一端側における上記第２のグラデーション部分の先端よりも、中間膜の上記一端側に位置していることが好ましい。中間膜の上記他端側における上記第２のグラデーション部分の先端は、中間膜の上記他端側における上記第１のグラデーション部分の先端よりも、中間膜の上記他端側に位置していることが好ましい。
【００６４】
上記構成Ｂにおいて、上記第１，第２のグラデーション部分を、一体的に視認することができる。このため、中間膜及び合わせガラスの外観一体性に優れる。
【００６５】
上記構成Ｃでは、中間膜を平面視したときに、上記第１のグラデーション部分と上記第２のグラデーション部分とが重なっておらず、かつ、中間膜を平面視したときに、上記第１のグラデーション部分の先端と上記第２のグラデーション部分の先端との間の部分の距離（以下、距離Ｄと記載することがある）が、０ｃｍを超え３０ｃｍ以下である。上記第１のグラデーション部分は、上記第２のグラデーション部分よりも、中間膜の上記他端側に位置する部分を含まない。上記第２のグラデーション部分は、上記第１のグラデーション部分よりも、中間膜の上記一端側に位置する部分を含まない。中間膜の上記他端側における上記第１のグラデーション部分の先端は、中間膜の上記一端側における上記第２のグラデーション部分の先端よりも、中間膜の上記一端側に位置している。中間膜の上記一端側における上記第２のグラデーション部分の先端は、中間膜の上記他端側における上記第１のグラデーション部分の先端よりも、中間膜の上記他端側に位置している。
【００６６】
上記構成Ｃでは、中間膜の厚み方向において、上記第１の着色部と上記第２の着色部とは互いに、同じ深さ位置で存在していてもよく、異なる深さ位置で存在していてもよい。合わせガラスを観察する方向や角度によって色合いが異なる意匠性を発現させる観点からは、上記構成Ｃでは、中間膜の厚み方向において、上記第１の着色部と上記第２の着色部とは互いに、異なる深さ位置で存在していることが好ましい。合わせガラスを観察する方向や角度に依らず、均一な色合いの意匠性を発現させる観点からは、上記構成Ｃでは、中間膜の厚み方向において、上記第１の着色部と上記第２の着色部とは互いに、同じ深さ位置で存在していることが好ましい。
【００６７】
上記構成Ｃにおいて、上記距離Ｄは比較的小さい。このため、中間膜及び合わせガラスにおいて、上記第１，第２のグラデーション部分を、ほぼ一体的に視認することができる。このため、中間膜及び合わせガラスの外観一体性に優れる。上記距離Ｄが小さくなるほど、上記第１，第２のグラデーション部分を、より一層一体的に視認することができる。
【００６８】
外観一体性をより一層良好にする観点、及びバックライト又はブレーキライトの光を、より一層良好なグラデーション状態で視認する観点からは、上記距離Ｄは、好ましくは２０ｃｍ以下、より好ましくは１５ｃｍ以下、更に好ましくは１０ｃｍ以下、特に好ましくは５ｃｍ以下である。
【００６９】
上記距離Ｄは、中間膜の面方向における距離として求められる（後述する図３、７、８参照）。
【００７０】
外観一体性をより一層良好にする観点からは、中間膜を平面視したときに、中間膜の全平面積１００％中、上記第１の着色部及び上記第２の着色部の少なくとも一方が存在する部分の平面積は、好ましくは８０％以上、より好ましくは９０％以上、より一層好ましくは９２％以上、更に好ましくは９４％以上、更に一層好ましくは９５％以上である。中間膜の全平面積１００％中、上記第１の着色部及び上記第２の着色部の少なくとも一方が存在する部分の平面積は、１００％以下である。中間膜の全平面積１００％中、上記第１の着色部及び上記第２の着色部の少なくとも一方が存在する部分の平面積は、１００％であってもよい。
【００７１】
ＪＩＳ  Ｒ３２０８に準拠した、厚み２ｍｍの２枚のグリーンガラスの間に合わせガラス用中間膜を挟み込むことにより合わせガラスを得たときに、得られる合わせガラスを合わせガラスＬ１とする。合わせガラスＬ１では、厚み２ｍｍのグリーンガラスが用いられている。この場合に、上記グリーンガラスは、可視光線透過率測定用のグリーンガラスである。また、本発明に係る合わせガラス用中間膜を用いて実際に得られる合わせガラスを、合わせガラスＬ２とする。合わせガラスＬ２では、厚み２ｍｍのグリーンガラスが用いられていてもよく、厚み２ｍｍのグリーンガラスが用いられていなくてもよい。
【００７２】
外観一体性をより一層良好にする観点からは、合わせガラスＬ１及び合わせガラスＬ２の全平面積１００％中、可視光線透過率が６０％以下である部分の平面積は、好ましくは８０％以上、より好ましくは９０％以上、より一層好ましくは９２％以上、更に好ましくは９４％以上、更に一層好ましくは９５％以上である。合わせガラスＬ１及び合わせガラスＬ２の全平面積１００％中、可視光線透過率が６０％以下である部分の平面積は、１００％以下である。合わせガラスＬ１及び合わせガラスＬ２の全平面積１００％中、可視光線透過率が６０％以下である部分の平面積は、１００％であってもよい。
【００７３】
外観一体性をより一層良好にする観点からは、合わせガラスＬ１及び合わせガラスＬ２の全平面積１００％中、可視光線透過率が５０％以下である部分の平面積は、好ましくは８０％以上、より好ましくは９０％以上、より一層好ましくは９２％以上、更に好ましくは９４％以上、更に一層好ましくは９５％以上である。合わせガラスＬ１及び合わせガラスＬ２の全平面積１００％中、可視光線透過率が５０％以下である部分の平面積は、１００％以下である。合わせガラスＬ１及び合わせガラスＬ２の全平面積１００％中、可視光線透過率が５０％以下である部分の平面積は、１００％であってもよい。
【００７４】
外観一体性をより一層良好にする観点からは、合わせガラスＬ１及び合わせガラスＬ２の全平面積１００％中、可視光線透過率が４０％以下である部分の平面積は、好ましくは８０％以上、より好ましくは９０％以上、より一層好ましくは９２％以上、更に好ましくは９４％以上、更に一層好ましくは９５％以上である。合わせガラスＬ１及び合わせガラスＬ２の全平面積１００％中、可視光線透過率が４０％以下である部分の平面積は、１００％以下である。合わせガラスＬ１及び合わせガラスＬ２の全平面積１００％中、可視光線透過率が４０％以下である部分の平面積は、１００％であってもよい。
【００７５】
外観一体性をより一層良好にする観点からは、合わせガラスＬ１及び合わせガラスＬ２の全体の中で、可視光線透過率が最大である部分の可視光線透過率は、好ましくは６０％以下、より好ましくは５０％以下、更に好ましくは４０％以下である。
【００７６】
上記合わせガラスＬ１、上記合わせガラスＬ２及び本発明に係る合わせガラスの可視光線透過率は、分光光度計（日立ハイテク社製「Ｕ−４１００」）を用いて、ＪＩＳ  Ｒ３１０６：１９９８又はＪＩＳ  Ｒ３２１２：１９９８に準拠して、合わせガラスの波長３８０ｎｍ〜７８０ｎｍにおける透過率を測定することで求められる。
【００７７】
本発明に係る合わせガラスは、第１の合わせガラス部材と、第２の合わせガラス部材と、上記中間膜とを備える。上記第１の合わせガラス部材と上記第２の合わせガラス部材との間に、上記合わせガラス用中間膜が配置されている。
【００７８】
本発明に係る自動車は、自動車本体と、自動車の窓ガラスとして合わせガラスとを備える。上記合わせガラスは、第１の合わせガラス部材と、第２の合わせガラス部材と、上記中間膜とを備える。上記第１の合わせガラス部材と上記第２の合わせガラス部材との間に、上記中間膜が配置されている。
【００７９】
以下、図面を参照しつつ、本発明の具体的な実施形態を説明する。なお、図１〜８における中間膜及び合わせガラスの大きさ及び寸法は、図示の便宜上、実際の大きさ及び形状から適宜変更している。なお、図１〜８において、異なる箇所は互いに置き換え可能である。なお、図１〜８において、同様に構成されていてもよい部分については、同じ符号を付す場合がある。
【００８０】
図１は、本発明の第１の実施形態に係る合わせガラス用中間膜及び合わせガラスを模式的に示す断面図である。
【００８１】
図１に示す中間膜１１は、上記構成Ａを備える。
【００８２】
中間膜１１は、一端１１ａと、一端１１ａの反対側に他端１１ｂとを有する。
【００８３】
中間膜１１は、透明部１と、第１の着色部２と、第２の着色部３とを有する。第１の着色部２は、第２の着色部３よりも中間膜１１の一端１１ａ側に位置する部分を含む。第２の着色部３は、第１の着色部２よりも中間膜１１の他端１１ｂ側に位置する部分を含む。第１の着色部２は、中間膜１１の一端１１ａに至っている。第２の着色部３は、中間膜１１の他端１１ｂに至っている。中間膜１１の厚み方向において、第１の着色部２と第２の着色部３とは互いに、同じ深さ位置で存在している。
【００８４】
第１の着色部２の両方の表面側に、透明部１が配置されている。透明部１に、第１の着色部２が埋め込まれている。第２の着色部３の両方の表面側に、透明部１が配置されている。透明部１に、第２の着色部３が埋め込まれている。透明部１は、中間膜１１の表面層である。第１の着色部２及び第２の着色部３はそれぞれ、中間膜１１の中間層である。
【００８５】
第１の着色部２は、中間膜１１の一端１１ａ側から他端１１ｂ側に向けて可視光線透過率が高くなる第１のグラデーション部分２Ｘを有する。第１のグラデーション部分２Ｘは、中間膜１１の他端１１ｂ側における第１の着色部２の先端を構成している。第１の着色部２は、中間膜１１の一端１１ａ側に、第１の未グラデーション部分２Ｙを有する。第１の着色部２は、第１の未グラデーション部分２Ｙにて、中間膜１１の一端１１ａに至っている。第１のグラデーション部分２Ｘは、中間膜１１の一端１１ａ側から他端１１ｂ側に向けて、第１の着色部２の厚みが薄くなる部分である。第１の未グラデーション部分２Ｙは、第１の着色部２の厚みが均一である部分である。
【００８６】
第２の着色部３は、中間膜１１の他端１１ｂ側から一端１１ａ側に向けて可視光線透過率が高くなる第２のグラデーション部分３Ｘを有する。第２のグラデーション部分３Ｘは、中間膜１１の一端１１ａ側における第２の着色部３の先端を構成している。第２の着色部３は、中間膜１１の他端１１ｂ側に、第２の未グラデーション部分３Ｙを有する。第２の着色部３は、第２の未グラデーション部分３Ｙにて、中間膜１１の他端１１ｂに至っている。第２のグラデーション部分３Ｘは、中間膜１１の他端１１ｂ側から一端１１ａ側に向けて、第２の着色部３の厚みが薄くなる部分である。第２の未グラデーション部分３Ｙは、第２の着色部３の厚みが均一である部分である。
【００８７】
中間膜１１を平面視したときに（図１の矢印Ｐの方向）、第１のグラデーション部分２Ｘの先端２Ｘａと第２のグラデーション部分３Ｘの先端３Ｘａとの位置が同じである。第１のグラデーション部分２Ｘの先端２Ｘａと第２のグラデーション部分３Ｘの先端３Ｘａとは接している。
【００８８】
図１では、中間膜１１は、合わせガラス３１とされた状態で示されている。合わせガラス３１は、第１の合わせガラス部材２１と、第２の合わせガラス部材２２と、中間膜１１とを備える。第１の合わせガラス部材２１と第２の合わせガラス部材２２との間に、中間膜１１が配置されている。中間膜１１の第１の表面側に、第１の合わせガラス部材２１が配置されており、積層されている。中間膜１１の第１の表面と反対の第２の表面側に、第２の合わせガラス部材２２が配置されており、積層されている。
【００８９】
中間膜１１及び合わせガラス３１は、バックライト又はブレーキライト５１の表示部を有する。第１のグラデーション部分２Ｘの先端２Ｘａと第２のグラデーション部分３Ｘの先端３Ｘａとの位置が同じである部分が、バックライト又はブレーキライト５１の表示部である。バックライト又はブレーキライト５１から発せられる光は、第１のグラデーション部分２Ｘの先端２Ｘａと第２のグラデーション部分３Ｘの先端３Ｘａとの位置が同じである部分、及びその近傍にて、グラデーション状態で視認することができる。
【００９０】
図２は、本発明の第２の実施形態に係る合わせガラス用中間膜及び合わせガラスを模式的に示す断面図である。
【００９１】
図２に示す中間膜１１Ａは、上記構成Ｂを備える。
【００９２】
中間膜１１Ａは、一端１１Ａａと、一端１１Ａａの反対側に他端１１Ａｂとを有する。
【００９３】
中間膜１１Ａは、透明部１Ａと、第１の着色部２Ａと、第２の着色部３Ａとを有する。第１の着色部２Ａは、第２の着色部３Ａよりも中間膜１１Ａの一端１１Ａａ側に位置する部分を含む。第２の着色部３Ａは、第１の着色部２Ａよりも中間膜１１Ａの他端１１Ａｂ側に位置する部分を含む。第１の着色部２Ａは、中間膜１１Ａの一端１１Ａａに至っている。第２の着色部３Ａは、中間膜１１Ａの他端１１Ａｂに至っている。中間膜１１Ａの厚み方向において、第１の着色部２Ａと第２の着色部３Ａとは互いに、異なる深さ位置で存在している。
【００９４】
第１の着色部２Ａの両方の表面側に、透明部１Ａが配置されている。透明部１Ａに、第１の着色部２Ａが埋め込まれている。第２の着色部３Ａの両方の表面側に、透明部１Ａが配置されている。透明部１Ａに、第２の着色部３Ａが埋め込まれている。透明部１Ａは、中間膜１１Ａの表面層である。第１の着色部２Ａ及び第２の着色部３Ａはそれぞれ、中間膜１１Ａの中間層である。
【００９５】
第１の着色部２Ａは、中間膜１１Ａの一端１１Ａａ側から他端１１Ａｂ側に向けて可視光線透過率が高くなる第１のグラデーション部分２ＡＸを有する。第１のグラデーション部分２ＡＸは、中間膜１１Ａの他端１１Ａｂ側における第１の着色部２Ａの先端を構成している。第１の着色部２Ａは、中間膜１１Ａの一端１１Ａａ側に、第１の未グラデーション部分２ＡＹを有する。第１の着色部２Ａは、第１の未グラデーション部分２ＡＹにて、中間膜１１Ａの一端１１Ａａに至っている。第１のグラデーション部分２ＡＸは、中間膜１１Ａの一端１１Ａａ側から他端１１Ａｂ側に向けて、第１の着色部２Ａの厚みが薄くなる部分である。第１の未グラデーション部分２ＡＹは、第１の着色部２Ａの厚みが均一である部分である。
【００９６】
第２の着色部３Ａは、中間膜１１Ａの他端１１Ａｂ側から一端１１Ａａ側に向けて可視光線透過率が高くなる第２のグラデーション部分３ＡＸを有する。第２のグラデーション部分３ＡＸは、中間膜１１Ａの一端１１Ａａ側における第２の着色部３Ａの先端を構成している。第２の着色部３Ａは、中間膜１１Ａの他端１１Ａｂ側に、第２の未グラデーション部分３ＡＹを有する。第２の着色部３Ａは、第２の未グラデーション部分３ＡＹにて、中間膜１１Ａの他端１１Ａｂに至っている。第２のグラデーション部分３ＡＸは、中間膜１１Ａの他端１１Ａｂ側から一端１１Ａａ側に向けて、第２の着色部３Ａの厚みが薄くなる部分である。第２の未グラデーション部分３ＡＹは、第２の着色部３Ａの厚みが均一である部分である。
【００９７】
中間膜１１Ａを平面視したときに（図２の矢印Ｐの方向）、第１のグラデーション部分２ＡＸと第２のグラデーション部分３ＡＸとが重なる領域が存在する。
【００９８】
図２では、中間膜１１Ａは、合わせガラス３１Ａとされた状態で示されている。合わせガラス３１Ａは、第１の合わせガラス部材２１と、第２の合わせガラス部材２２と、中間膜１１Ａとを備える。第１の合わせガラス部材２１と第２の合わせガラス部材２２との間に、中間膜１１Ａが配置されている。中間膜１１Ａの第１の表面側に、第１の合わせガラス部材２１が配置されており、積層されている。中間膜１１Ａの第１の表面と反対の第２の表面側に、第２の合わせガラス部材２２が配置されており、積層されている。
【００９９】
中間膜１１Ａ及び合わせガラス３１Ａは、バックライト又はブレーキライト５１の表示部を有する。第１のグラデーション部分２ＡＸと第２のグラデーション部分３ＡＸとが重なる部分が、バックライト又はブレーキライト５１の表示部である。バックライト又はブレーキライト５１から発せられる光は、第１のグラデーション部分２ＡＸと第２のグラデーション部分３ＡＸとが重なる部分、及びその近傍にて、グラデーション状態で視認することができる。
【０１００】
図３は、本発明の第３の実施形態に係る合わせガラス用中間膜及び合わせガラスを模式的に示す断面図である。
【０１０１】
図３に示す中間膜１１Ｂは、上記構成Ｃを備える。
【０１０２】
中間膜１１Ｂは、一端１１Ｂａと、一端１１Ｂａの反対側に他端１１Ｂｂとを有する。
【０１０３】
中間膜１１Ｂは、透明部１Ｂと、第１の着色部２Ｂと、第２の着色部３Ｂとを有する。第１の着色部２Ｂは、第２の着色部３Ｂよりも中間膜１１Ｂの一端１１Ｂａ側に位置する部分を含む。第２の着色部３Ｂは、第１の着色部２Ｂよりも中間膜１１Ｂの他端１１Ｂｂ側に位置する部分を含む。第１の着色部２Ｂは、中間膜１１Ｂの一端１１Ｂａに至っている。第２の着色部３Ｂは、中間膜１１Ｂの他端１１Ｂｂに至っている。中間膜１１Ｂの厚み方向において、第１の着色部２Ｂと第２の着色部３Ｂとは互いに、同じ深さ位置で存在している。
【０１０４】
第１の着色部２Ｂの両方の表面側に、透明部１Ｂが配置されている。透明部１Ｂに、第１の着色部２Ｂが埋め込まれている。第２の着色部３Ｂの両方の表面側に、透明部１Ｂが配置されている。透明部１Ｂに、第２の着色部３Ｂが埋め込まれている。透明部１Ｂは、中間膜１１Ｂの表面層である。第１の着色部２Ｂ及び第２の着色部３Ｂはそれぞれ、中間膜１１Ｂの中間層である。
【０１０５】
第１の着色部２Ｂは、中間膜１１Ｂの一端１１Ｂａ側から他端１１Ｂｂ側に向けて可視光線透過率が高くなる第１のグラデーション部分２ＢＸを有する。第１のグラデーション部分２ＢＸは、中間膜１１Ｂの他端１１Ｂｂ側における第１の着色部２Ｂの先端を構成している。第１の着色部２Ｂは、中間膜１１Ｂの一端１１Ｂａ側に、第１の未グラデーション部分２ＢＹを有する。第１の着色部２Ｂは、第１の未グラデーション部分２ＢＹにて、中間膜１１Ｂの一端１１Ｂａに至っている。第１のグラデーション部分２ＢＸは、中間膜１１Ｂの一端１１Ｂａ側から他端１１Ｂｂ側に向けて、第１の着色部２Ｂの厚みが薄くなる部分である。第１の未グラデーション部分２ＢＹは、第１の着色部２Ｂの厚みが均一である部分である。
【０１０６】
第２の着色部３Ｂは、中間膜１１Ｂの他端１１Ｂｂ側から一端１１Ｂａ側に向けて可視光線透過率が高くなる第２のグラデーション部分３ＢＸを有する。第２のグラデーション部分３ＢＸは、中間膜１１Ｂの一端１１Ｂａ側における第２の着色部３Ｂの先端を構成している。第２の着色部３Ｂは、中間膜１１Ｂの他端１１Ｂｂ側に、第２の未グラデーション部分３ＢＹを有する。第２の着色部３Ｂは、第２の未グラデーション部分３ＢＹにて、中間膜１１Ｂの他端１１Ｂｂに至っている。第２のグラデーション部分３ＢＸは、中間膜１１Ｂの他端１１Ｂｂ側から一端１１Ｂａ側に向けて、第２の着色部３Ｂの厚みが薄くなる部分である。第２の未グラデーション部分３ＢＹは、第２の着色部３Ｂの厚みが均一である部分である。
【０１０７】
中間膜１１Ｂを平面視したときに（図３の矢印Ｐの方向）、第１のグラデーション部分２ＢＸの先端２ＢＸａと第２のグラデーション部分３ＢＸの先端３ＢＸａとは重なっていない。中間膜１１Ｂを平面視したときに、第１のグラデーション部分２ＢＸの先端と第２のグラデーション部分３ＢＸの先端との間の部分の距離Ｄは、３０ｃｍ以下である。
【０１０８】
図３では、中間膜１１Ｂは、合わせガラス３１Ｂとされた状態で示されている。合わせガラス３１Ｂは、第１の合わせガラス部材２１と、第２の合わせガラス部材２２と、中間膜１１Ｂとを備える。第１の合わせガラス部材２１と第２の合わせガラス部材２２との間に、中間膜１１Ｂが配置されている。中間膜１１Ｂの第１の表面側に、第１の合わせガラス部材２１が配置されており、積層されている。中間膜１１Ｂの第１の表面と反対の第２の表面側に、第２の合わせガラス部材２２が配置されており、積層されている。
【０１０９】
中間膜１１Ｂ及び合わせガラス３１Ｂは、バックライト又はブレーキライト５１の表示部を有する。第１のグラデーション部分２ＢＸの先端２ＢＸａと第２のグラデーション部分３ＢＸの先端３ＢＸａとの間の部分が、バックライト又はブレーキライト５１の表示部である。バックライト又はブレーキライト５１から発せられる光は、第１のグラデーション部分２ＢＸの先端２ＢＸａと第２のグラデーション部分３ＢＸの先端３ＢＸａとの部分（距離Ｄの狭い部分）、及びその近傍にて、グラデーション状態で視認することができる。
【０１１０】
図４は、本発明の第４の実施形態に係る合わせガラス用中間膜及び合わせガラスを模式的に示す断面図である。
【０１１１】
図４に示す中間膜１１Ｃは、上記構成Ａを備える。
【０１１２】
中間膜１１Ｃは、合わせガラス３１Ｃとされた状態で示されている。
【０１１３】
中間膜１１Ｃは、一端１１Ｃａと、一端１１Ｃａの反対側に他端１１Ｃｂとを有する。
【０１１４】
中間膜１１Ｃは、透明部１Ｃと、第１の着色部２Ｃと、第２の着色部３Ｃとを有する。
【０１１５】
第１の着色部２Ｃの全体が、中間膜１１Ｃの一端１１Ｃａ側から他端１１Ｃｂ側に向けて可視光線透過率が高くなる第１のグラデーション部分である。該第１のグラデーション部分は、中間膜１１Ｃの他端１１Ｃｂ側における第１の着色部２Ｃの先端を構成している。第１の着色部２Ｃは、中間膜１１Ｃの一端１１Ｃａ側に、未グラデーション部分を有しない。第１の着色部２Ｃは、グラデーション部分にて、中間膜１１Ｃの一端１１Ｃａに至っている。第１の着色部２Ｃ（第１のグラデーション部分）の厚みは、中間膜１１Ｃの一端１１Ｃａ側から他端１１Ｃｂ側に向けて、薄くなっている。
【０１１６】
第２の着色部３Ｃの全体が、中間膜１１Ｃの他端１１Ｃｂ側から一端１１Ｃａ側に向けて可視光線透過率が高くなる第２のグラデーション部分である。該第２のグラデーション部分は、中間膜１１Ｃの一端１１Ｃａ側における第２の着色部３Ｃの先端を構成している。第２の着色部３Ｃは、中間膜１１Ｃの他端１１Ｃｂ側に、未グラデーション部分を有しない。第２の着色部３Ｃは、グラデーション部分にて、中間膜１１Ｃの他端１１Ｃｂに至っている。第２の着色部３Ｃ（第２のグラデーション部分）の厚みは、中間膜１１Ｃの他端１１Ｃｂ側から一端１１Ｃａ側に向けて、薄くなっている。
【０１１７】
中間膜１１Ｃを平面視したときに、第１の着色部２Ｃ（第１のグラデーション部分）の先端２Ｃａと第２の着色部３Ｃ（第２のグラデーション部分）の先端３Ｃａとの位置が同じである。
【０１１８】
中間膜１１Ｃのように、着色部全体がグラデーション部分であってもよい。上記構成Ｂ及び上記構成Ｃを備える中間膜においても、着色部全体がグラデーション部分であってもよい。
【０１１９】
図５は、本発明の第５の実施形態に係る合わせガラス用中間膜及び合わせガラスを模式的に示す断面図である。
【０１２０】
図５に示す中間膜１１Ｄは、上記構成Ａを備える。
【０１２１】
中間膜１１Ｄは、合わせガラス３１Ｄとされた状態で示されている。
【０１２２】
中間膜１１Ｄは、一端１１Ｄａと、一端１１Ｄａの反対側に他端１１Ｄｂとを有する。
【０１２３】
中間膜１１Ｄは、透明部１Ｄと、第１の着色部２Ｄと、第２の着色部３Ｄとを有する。
【０１２４】
第１の着色部２Ｄの一方の表面側のみに、透明部１Ｄが配置されている。透明部１Ｄに、第１の着色部２Ｄが埋め込まれていない。第２の着色部３Ｄの一方の表面側のみに、透明部１Ｄが配置されている。透明部１Ｄに、第２の着色部３Ｄが埋め込まれていない。透明部１Ｄは、中間膜１１Ｄの表面層である。第１の着色部２Ｄ及び第２の着色部３Ｄはそれぞれ、中間膜１１Ｄの表面層である。
【０１２５】
第１の着色部２Ｄは、第１のグラデーション部分２ＤＸを有する。第１のグラデーション部分２ＤＸは、中間膜１１Ｄの他端１１Ｄｂ側における第１の着色部２Ｄの先端を構成している。第１の着色部２Ｄは、中間膜１１Ｄの一端１１Ｄａ側に、第１の未グラデーション部分２ＤＹを有する。第１の着色部２Ｄは、第１の未グラデーション部分２ＤＹにて、中間膜１１Ｄの一端１１Ｄａに至っている。
【０１２６】
第２の着色部３Ｄは、第２のグラデーション部分３ＤＸを有する。第２のグラデーション部分３ＤＸは、中間膜１１Ｄの一端１１Ｄａ側における第２の着色部３Ｄの先端を構成している。第２の着色部３Ｄは、中間膜１１Ｄの他端１１Ｄｂ側に、第２の未グラデーション部分３ＤＹを有する。第２の着色部３Ｄは、第２の未グラデーション部分３ＤＹにて、中間膜１１Ｄの他端１１Ｄｂに至っている。
【０１２７】
中間膜１１Ｄを平面視したときに、第１のグラデーション部分２ＤＸの先端２ＤＸａと第２のグラデーション部分３ＤＸの先端３ＤＸａとの位置が同じである。
【０１２８】
中間膜１１Ｄのように、透明部に着色部が埋め込まれていなくてもよく、着色部が表面層であってもよい。上記構成Ｂ及び上記構成Ｃを備える中間膜においても、透明部に着色部が埋め込まれていなくてもよく、着色部が表面層であってもよい。
【０１２９】
図６は、本発明の第６の実施形態に係る合わせガラス用中間膜及び合わせガラスを模式的に示す断面図である。
【０１３０】
図６に示す中間膜１１Ｅは、上記構成Ａを備える。
【０１３１】
中間膜１１Ｅは、合わせガラス３１Ｅとされた状態で示されている。
【０１３２】
中間膜１１Ｅは、一端１１Ｅａと、一端１１Ｅａの反対側に他端１１Ｅｂとを有する。
【０１３３】
図６では、着色剤Ｅを模式的に示しており、着色剤Ｅの存在量を模式的に示している。なお、着色剤が粒子状である場合に、着色剤の実際の大きさは、図６に示される大きさよりもかなり小さい。なお、図１〜５，７及び８では、着色剤の図示は省略している。
【０１３４】
中間膜１１Ｅは、透明部１Ｅと、第１の着色部２Ｅと、第２の着色部３Ｅとを有する。
【０１３５】
第１の着色部２Ｅは、第１のグラデーション部分２ＥＸを有する。第１のグラデーション部分２ＥＸは、中間膜１１Ｅの他端１１Ｅｂ側における第１の着色部２Ｅの先端を構成している。第１の着色部２Ｅは、中間膜１１Ｅの一端１１Ｅａ側に、第１の未グラデーション部分２ＥＹを有する。第１の着色部２Ｅは、第１の未グラデーション部分２ＥＹにて、中間膜１１Ｅの一端１１Ｅａに至っている。第１のグラデーション部分２ＥＸは、中間膜１１Ｅの一端１１Ｅａ側から他端１１Ｅｂ側に向けて、着色剤の濃度が低くなる部分である。第１の未グラデーション部分２ＥＹは、着色剤の濃度が均一である部分である。
【０１３６】
第２の着色部３Ｅは、第２のグラデーション部分３ＥＸを有する。第２のグラデーション部分３ＥＸは、中間膜１１Ｅの一端１１Ｅａ側における第２の着色部３Ｅの先端を構成している。第２の着色部３Ｅは、中間膜１１Ｅの他端１１Ｅｂ側に、第２の未グラデーション部分３ＥＹを有する。第２の着色部３Ｅは、第２の未グラデーション部分３ＥＹにて、中間膜１１Ｅの他端１１Ｅｂに至っている。第２のグラデーション部分３ＥＸは、中間膜１１Ｅの他端１１Ｅｂ側から一端１１Ｅａ側に向けて、着色剤の濃度が低くなる部分である。第２の未グラデーション部分３ＥＹは、着色剤の濃度が均一である部分である。
【０１３７】
中間膜１１Ｅを平面視したときに、第１のグラデーション部分２ＥＸの先端２ＥＸａと第２のグラデーション部分３ＥＸの先端３ＥＸａとの位置が同じである。
【０１３８】
中間膜１１Ｅのように、グラデーション部分が、着色剤の濃度変化により形成されていてもよい。上記構成Ｂ及び上記構成Ｃを備える中間膜においても、グラデーション部分が、着色剤の濃度変化により形成されていてもよい。
【０１３９】
図７は、本発明の第７の実施形態に係る合わせガラス用中間膜及び合わせガラスを模式的に示す断面図である。
【０１４０】
図７に示す中間膜１１Ｆは、上記構成Ｃを備える。
【０１４１】
中間膜１１Ｆは、合わせガラス３１Ｆとされた状態で示されている。
【０１４２】
中間膜１１Ｆは、一端１１Ｆａと、一端１１Ｆａの反対側に他端１１Ｆｂとを有する。
【０１４３】
中間膜１１Ｆは、透明部１Ｆと、第１の着色部２Ｆと、第２の着色部３Ｆと、第３の着色部４Ｆとを有する。
【０１４４】
第１の着色部２Ｆは、第１のグラデーション部分２ＦＸを有する。第１のグラデーション部分２ＦＸは、中間膜１１Ｆの他端１１Ｆｂ側における第１の着色部２Ｆの先端を構成している。第１の着色部２Ｆは、中間膜１１Ｆの一端１１Ｆａ側に、第１の未グラデーション部分２ＦＹを有する。第１の着色部２Ｆは、第１の未グラデーション部分２ＦＹにて、中間膜１１Ｆの一端１１Ｆａに至っている。
【０１４５】
第２の着色部３Ｆは、第２のグラデーション部分３ＦＸを有する。第２のグラデーション部分３ＦＸは、中間膜１１Ｆの一端１１Ｆａ側における第２の着色部３Ｆの先端を構成している。第２の着色部３Ｆは、中間膜１１Ｆの他端１１Ｆｂ側に、第２の未グラデーション部分３ＦＹを有する。第２の着色部３Ｆは、第２の未グラデーション部分３ＦＹにて、中間膜１１Ｆの他端１１Ｆｂに至っている。
【０１４６】
第３の着色部４Ｆは、第１のグラデーション部分２ＦＸの先端と第２のグラデーション部分３ＦＸの先端との間の部分に配置されている。第３の着色部４Ｆは、未グラデーション部分である。第３の着色部４Ｆは、未グラデーション部分であるので、第１の着色部２Ｆの先端を構成している第１のグラデーション部分２ＦＸに含まれない。第３の着色部４Ｆは、未グラデーション部分であるので、第２の着色部３Ｆの先端を構成している第２のグラデーション部分３ＦＸに含まれない。
【０１４７】
中間膜１１Ｆを平面視したときに、第１のグラデーション部分２ＦＸの先端２ＦＸａと第２のグラデーション部分３ＦＸの先端３ＦＸａとは重なっていない。中間膜１１Ｆを平面視したときに、第１のグラデーション部分２ＦＸの先端と第２のグラデーション部分３ＦＸの先端との間の部分の距離Ｄは、３０ｃｍ以下である。
【０１４８】
中間膜１１Ｆのように、第１，第２のグラデーション部分の間に、着色部が配置されてもよい。
【０１４９】
図８は、本発明の第８の実施形態に係る合わせガラス用中間膜及び合わせガラスを模式的に示す断面図である。
【０１５０】
図８に示す中間膜１１Ｇは、上記構成Ｃを備える。
【０１５１】
中間膜１１Ｇは、合わせガラス３１Ｇとされた状態で示されている。
【０１５２】
中間膜１１Ｇは、一端１１Ｇａと、一端１１Ｇａの反対側に他端１１Ｇｂとを有する。
【０１５３】
中間膜１１Ｇは、透明部１Ｇと、第１の着色部２Ｇと、第２の着色部３Ｇとを有する。中間膜１１Ｇの厚み方向において、第１の着色部２Ｇと第２の着色部３Ｇとは互いに、異なる深さ位置で存在している。
【０１５４】
第１の着色部２Ｇは、第１のグラデーション部分２ＧＸを有する。第１のグラデーション部分２ＧＸは、中間膜１１Ｇの他端１１Ｇｂ側における第１の着色部２Ｇの先端を構成している。第１の着色部２Ｇは、中間膜１１Ｇの一端１１Ｇａ側に、第１の未グラデーション部分２ＧＹを有する。第１の着色部２Ｇは、第１の未グラデーション部分２ＧＹにて、中間膜１１Ｇの一端１１Ｇａに至っている。
【０１５５】
第２の着色部３Ｇは、第２のグラデーション部分３ＧＸを有する。第２のグラデーション部分３ＧＸは、中間膜１１Ｇの一端１１Ｇａ側における第２の着色部３Ｇの先端を構成している。第２の着色部３Ｇは、中間膜１１Ｇの他端１１Ｇｂ側に、第２の未グラデーション部分３ＧＹを有する。第２の着色部３Ｇは、第２の未グラデーション部分３ＧＹにて、中間膜１１Ｇの他端１１Ｇｂに至っている。
【０１５６】
中間膜１１Ｇを平面視したときに、第１のグラデーション部分２ＧＸの先端２ＧＸａと第２のグラデーション部分３ＧＸの先端３ＧＸａとは重なっていない。中間膜１１Ｇを平面視したときに、第１のグラデーション部分２ＧＸの先端と第２のグラデーション部分３ＧＸの先端との間の部分の距離Ｄは、３０ｃｍ以下である。
【０１５７】
中間膜１１Ｇのように、中間膜の厚み方向において、第１，第２のグラデーション部分の深さ位置が異なっていてもよい。上記構成Ａを備える中間膜においても、中間膜を平面視したときに、第１のグラデーション部分の先端と第２のグラデーション部分の先端とが同じ位置であれば、第１，第２のグラデーション部分の深さ位置が異なっていてもよい。
【０１５８】
図９は、本発明の第９の実施形態に係る合わせガラス用中間膜を備える合わせガラスを模式的に示す平面図である。図１０は、本発明の第１０の実施形態に係る合わせガラス用中間膜を備える合わせガラスを模式的に示す斜視図である。
【０１５９】
図９及び図１０では、中間膜は、合わせガラスとされた状態で示されている。色調が薄くなる部分が第１，第２のグラデーション部分である。第１，第２のグラデーション部分は、ライン状に配置されている。第１，第２のグラデーション部分は、バックライト又はブレーキライトの表示部として適用することができる。図１０に示す合わせガラスは、リアルーフ一体型ガラスである。
【０１６０】
以下、本発明に係る合わせガラスを構成する各部材の他の詳細を説明する。
【０１６１】
（第１，第２の合わせガラス部材）
上記第１，第２の合わせガラス部材としては、ガラス板及びＰＥＴ（ポリエチレンテレフタレート）フィルム等が挙げられる。上記合わせガラスには、２枚のガラス板の間に中間膜が挟み込まれている合わせガラスだけでなく、ガラス板とＰＥＴフィルム等との間に中間膜が挟み込まれている合わせガラスも含まれる。合わせガラスは、ガラス板を備えた積層体であり、少なくとも１枚のガラス板が用いられていることが好ましい。上記第１，第２の合わせガラス部材がそれぞれガラス板又はＰＥＴ（ポリエチレンテレフタレート）フィルムであり、かつ上記合わせガラスが、上記第１，第２の合わせガラス部材として、少なくとも１枚のガラス板を含むことが好ましい。上記第１，第２の合わせガラス部材の双方がガラス板であることが特に好ましい。
【０１６２】
上記ガラス板としては、無機ガラス及び有機ガラスが挙げられる。上記無機ガラスとしては、フロート板ガラス、熱線吸収板ガラス、熱線反射板ガラス、磨き板ガラス、型板ガラス、網入り板ガラス、線入り板ガラス及びグリーンガラス等が挙げられる。上記有機ガラスは、無機ガラスに代わる合成樹脂ガラスである。上記有機ガラスとしては、ポリカーボネート板及びポリ（メタ）アクリル樹脂板等が挙げられる。上記ポリ（メタ）アクリル樹脂板としては、ポリメチル（メタ）アクリレート板等が挙げられる。
【０１６３】
上記第１の合わせガラス部材及び上記第２の合わせガラス部材の各厚みは特に限定されないが、好ましくは１ｍｍ以上、好ましくは５ｍｍ以下である。上記合わせガラス部材がガラス板である場合に、該ガラス板の厚みは、好ましくは１ｍｍ以上、好ましくは５ｍｍ以下である。上記合わせガラス部材がＰＥＴフィルムである場合に、該ＰＥＴフィルムの厚みは、好ましくは０．０３ｍｍ以上、好ましくは０．５ｍｍ以下である。
【０１６４】
上記第１，第２の合わせガラス部材の厚みは、平均厚みを意味する。
【０１６５】
（中間膜）
上記中間膜の厚みは特に限定されない。実用面の観点、並びに合わせガラスの耐貫通性及び曲げ剛性を充分に高める観点からは、中間膜の厚みは、好ましくは０．１ｍｍ以上、より好ましくは０．２５ｍｍ以上、好ましくは３ｍｍ以下、より好ましくは１．５ｍｍ以下である。中間膜の厚みが上記下限以上であると、合わせガラスの耐貫通性及び曲げ剛性がより一層高くなる。中間膜の厚みが上記上限以下であると、中間膜の透明性がより一層良好になる。
【０１６６】
上記中間膜の厚みは、平均厚みを意味する。
【０１６７】
樹脂：
上記中間膜は、樹脂を含むことが好ましい。上記透明部は、樹脂を含むことが好ましい。上記着色部は、樹脂を含むことが好ましい。上記樹脂としては、熱硬化性樹脂及び熱可塑性樹脂等が挙げられる。上記樹脂は、１種のみが用いられてもよく、２種以上が併用されてもよい。
【０１６８】
上記熱可塑性樹脂としては、ポリビニルアセタール樹脂、ポリエステル樹脂、エチレン−酢酸ビニル共重合体樹脂、エチレン−アクリル酸共重合体樹脂、ポリウレタン樹脂、ポリビニルアルコール樹脂及びアイオノマー樹脂等が挙げられる。これら以外の熱可塑性樹脂を用いてもよい。
【０１６９】
可塑剤：
上記中間膜は、可塑剤を含むことが好ましい。上記透明部は、可塑剤を含むことが好ましい。上記着色部は、可塑剤を含むことが好ましい。中間膜に含まれている熱可塑性樹脂が、ポリビニルアセタール樹脂である場合に、中間膜（各層）は、可塑剤を含むことが特に好ましい。上記可塑剤は、１種のみが用いられてもよく、２種以上が併用されてもよい。
【０１７０】
上記可塑剤としては、一塩基性有機酸エステル及び多塩基性有機酸エステル等の有機エステル可塑剤、並びに有機リン酸可塑剤及び有機亜リン酸可塑剤などの有機リン酸可塑剤等が挙げられる。有機エステル可塑剤が好ましい。上記可塑剤は液状可塑剤であることが好ましい。
【０１７１】
上記一塩基性有機酸エステルとしては、グリコールと一塩基性有機酸との反応によって得られたグリコールエステル等が挙げられる。上記グリコールとしては、トリエチレングリコール、テトラエチレングリコール及びトリプロピレングリコール等が挙げられる。上記一塩基性有機酸としては、酪酸、イソ酪酸、カプロン酸、２−エチル酪酸、ヘプチル酸、ｎ−オクチル酸、２−エチルヘキシル酸、ｎ−ノニル酸、デシル酸及び安息香酸等が挙げられる。
【０１７２】
上記多塩基性有機酸エステルとしては、多塩基性有機酸と、炭素数４〜８の直鎖又は分岐構造を有するアルコールとのエステル化合物等が挙げられる。上記多塩基性有機酸としては、アジピン酸、セバシン酸及びアゼライン酸等が挙げられる。
【０１７３】
上記有機エステル可塑剤としては、トリエチレングリコールジ−２−エチルプロパノエート、トリエチレングリコールジ−２−エチルブチレート、トリエチレングリコールジ−２−エチルヘキサノエート、トリエチレングリコールジカプリレート、トリエチレングリコールジ−ｎ−オクタノエート、トリエチレングリコールジ−ｎ−ヘプタノエート、テトラエチレングリコールジ−ｎ−ヘプタノエート、ジブチルセバケート、ジオクチルアゼレート、ジブチルカルビトールアジペート、エチレングリコールジ−２−エチルブチレート、１，３−プロピレングリコールジ−２−エチルブチレート、１，４−ブチレングリコールジ−２−エチルブチレート、ジエチレングリコールジ−２−エチルブチレート、ジエチレングリコールジ−２−エチルヘキサノエート、ジプロピレングリコールジ−２−エチルブチレート、トリエチレングリコールジ−２−エチルペンタノエート、テトラエチレングリコールジ−２−エチルブチレート、ジエチレングリコールジカプリレート、ジエチレングリコールジベンゾエート、ジプロピレングリコールジベンゾエート、アジピン酸ジヘキシル、アジピン酸ジオクチル、アジピン酸ヘキシルシクロヘキシル、アジピン酸ヘプチルとアジピン酸ノニルとの混合物、アジピン酸ジイソノニル、アジピン酸ジイソデシル、アジピン酸ヘプチルノニル、セバシン酸ジブチル、油変性セバシン酸アルキド、及びリン酸エステルとアジピン酸エステルとの混合物等が挙げられる。これら以外の有機エステル可塑剤を用いてもよい。上述のアジピン酸エステル以外の他のアジピン酸エステルを用いてもよい。
【０１７４】
上記有機リン酸可塑剤としては、トリブトキシエチルホスフェート、イソデシルフェニルホスフェート及びトリイソプロピルホスフェート等が挙げられる。
【０１７５】
上記可塑剤は、下記式（１）で表されるジエステル可塑剤であることが好ましい。
【０１７６】
【化１】
2019221218.tif 000003
【０１７７】
上記式（１）中、Ｒ１及びＲ２はそれぞれ、炭素数５〜１０の有機基を表し、Ｒ３は、エチレン基、イソプロピレン基又はｎ−プロピレン基を表し、ｐは３〜１０の整数を表す。上記式（１）中のＲ１及びＲ２はそれぞれ、炭素数６〜１０の有機基であることが好ましい。
【０１７８】
上記可塑剤は、トリエチレングリコールジ−２−エチルヘキサノエート（３ＧＯ）、トリエチレングリコールジ−２−エチルブチレート（３ＧＨ）又はトリエチレングリコールジ−２−エチルプロパノエートを含むことが好ましい。上記可塑剤は、トリエチレングリコールジ−２−エチルヘキサノエート（３ＧＯ）又はトリエチレングリコールジ−２−エチルブチレート（３ＧＨ）を含むことがより好ましく、トリエチレングリコールジ−２−エチルヘキサノエートを含むことが更に好ましい。
【０１７９】
上記中間膜において、上記樹脂１００重量部（上記樹脂が熱可塑性樹脂である場合には、上記熱可塑性樹脂１００重量部；上記樹脂がポリビニルアセタール樹脂である場合には、上記ポリビニルアセタール樹脂１００重量部）に対する上記可塑剤の含有量を、含有量（０）とする。上記含有量（０）は、好ましくは２５重量部以上、より好ましくは３０重量部以上であり、好ましくは１００重量部以下、より好ましくは６０重量部以下、更に好ましくは５０重量部以下である。上記含有量（０）が上記下限以上であると、合わせガラスの耐貫通性がより一層高くなる。上記含有量（０）が上記上限以下であると、中間膜の透明性がより一層高くなる。
【０１８０】
着色剤：
上記第１の着色部は、通常、着色剤を含む。該着色剤としては、無機粒子、顔料及び染料等が挙げられる。上記第２の着色部は、通常、着色剤を含む。該着色剤としては、無機粒子、顔料及び染料等が挙げられる。
【０１８１】
上記無機粒子としては、例えば、カーボンブラック粒子、酸化鉄粒子、酸化亜鉛粒子、炭酸カルシウム粒子、アルミナ粒子、カオリンクレー粒子、珪酸カルシウム粒子、酸化マグネシウム粒子、水酸化マグネシウム粒子、水酸化アルミニウム粒子、炭酸マグネシウム粒子、タルク粒子、長石粉粒子、マイカ粒子、バライト粒子、炭酸バリウム粒子、酸化チタン粒子、シリカ粒子及びガラスビ−ズ等が挙げられる。上記無機粒子は、１種のみが用いられてもよく、２種以上が併用されてもよい。
【０１８２】
上記無機粒子は、カーボンブラック粒子、炭酸カルシウム粒子、酸化チタン粒子又はシリカ粒子を含むことが好ましく、カーボンブラック粒子又は炭酸カルシウム粒子を含むことがより好ましく、カーボンブラック粒子を含むことが更に好ましい。これらの好ましい無機粒子の使用により、光が透過した際に、外観むらが抑えられ、外観一体性により一層優れた合わせガラスが得られる。
【０１８３】
上記無機粒子の平均粒子径は好ましくは１μｍ以上、好ましくは１００μｍ以下、より好ましくは５０μｍ以下である。上記平均粒子径は、重量平均粒子径を示す。上記平均粒子径は、光散乱測定装置を用いて、Ａｒレーザーを光源として動的光散乱法により測定できる。上記光散乱測定装置としては、例えば、大塚電子社製「ＤＬＳ−６０００ＡＬ」等が挙げられる。
【０１８４】
上記染料としては、ピレン系染料、アミノケトン系染料、アントラキノン系染料、及びアゾ系染料等が挙げられる。上記染料は、１種のみが用いられてもよく、２種以上が併用されてもよい。
【０１８５】
上記ピレン系染料としては、Ｓｏｌｖｅｎｔ  Ｇｒｅｅｎ５（ＣＡＳ７９８６９−５９−３）及びＳｏｌｖｅｎｔ  Ｇｒｅｅｎ７（ＣＡＳ６３５８−６９−６）等が挙げられる。
【０１８６】
上記アミノケトン系染料としては、Ｓｏｌｖｅｎｔ  Ｙｅｌｌｏｗ９８（ＣＡＳ１２６７１−７４−８）、Ｓｏｌｖｅｎｔ  Ｙｅｌｌｏｗ８５（ＣＡＳ１２２７１−０１−１）及びＳｏｌｖｅｎｔ  Ｒｅｄ１７９（ＣＡＳ８９１０−９４−５）、及びＳｏｌｖｅｎｔ  Ｒｅｄ１３５（ＣＡＳ７１９０２−１７−５）等が挙げられる。
【０１８７】
上記アントラキノン系染料としては、Ｓｏｌｖｅｎｔ  Ｙｅｌｌｏｗ１６３（ＣＡＳ１３６７６０９１−０）、Ｓｏｌｖｅｎｔ  Ｒｅｄ２０７（ＣＡＳ１５９５８−６９−６），Ｄｉｓｐｅｒｓｅ  Ｒｅｄ９２（ＣＡＳ１２２３６−１１−２）、Ｓｏｌｖｅｎｔ  Ｖｉｏｌｅｔ１３（ＣＡＳ８１−４８−１）、Ｄｉｓｐｅｒｓｅ  Ｖｉｏｌｅｔ３１（ＣＡＳ６４０８−７２−６）、Ｓｏｌｖｅｎｔ  Ｂｌｕｅ９７（ＣＡＳ６１９６９−４４−６）、Ｓｏｌｖｅｎｔ  Ｂｌｕｅ４５（ＣＡＳ３７２２９−２３−５）、Ｓｏｌｖｅｎｔ  Ｂｌｕｅ１０４（ＣＡＳ１１６−７５−６）及びＤｉｓｐｅｒｓｅ  Ｂｌｕｅ２１４（ＣＡＳ１０４４９１−８４−１）等が挙げられる。
【０１８８】
上記アゾ系染料としては、Ｓｏｌｖｅｎｔ  Ｙｅｌｌｏｗ３０（ＣＡＳ３３２１−１０−４）、Ｓｏｌｖｅｎｔ  Ｒｅｄ１６４（ＣＡＳ７０９５６−３０−８）、及びＤｉｓｐｅｒｓｅ  Ｂｌｕｅ１４６（ＣＡＳ８８６５０−９１−３）等が挙げられる。
【０１８９】
上記顔料は、有機顔料であってもよく、無機顔料であってもよい。上記有機顔料は、金属原子を有する有機顔料であってもよく、金属原子を有さない有機顔料であってもよい。上記顔料は、１種のみが用いられてもよく、２種以上が併用されてもよい。
【０１９０】
上記有機顔料としては、フタロシアニン化合物、キナクドリン化合物、アゾ化合物、ペンタフェン化合物、ペリレン化合物、インドール化合物及びジオキサジン化合物等が挙げられる。
【０１９１】
上記無機顔料としては、カーボンブラック、酸化鉄、酸化亜鉛及び酸化チタン等が挙げられる。
【０１９２】
上記無機顔料は、カーボンブラックを含むことがより好ましい。カーボンブラックの使用により、光が透過した際に、外観むらが抑えられ、外観一体性により一層優れた合わせガラスが得られる。
【０１９３】
上記着色部は、炭酸カルシウム粒子、酸化チタン粒子、シリカ粒子又はカーボンブラックを含むことがより好ましい。カーボンブラックの使用により、光が透過した際に、外観むらが抑えられ、外観一体性により一層優れた合わせガラスが得られる。
【０１９４】
他の成分：
上記中間膜、上記透明部及び上記着色部はそれぞれ、必要に応じて、遮熱粒子、遮光剤、着色剤、紫外線吸収剤、酸化防止剤、接着力調整剤、光安定剤、難燃剤、帯電防止剤、耐湿剤、熱線反射剤及び熱線吸収剤等の添加剤を含んでいてもよい。上記添加剤は、１種のみが用いられてもよく、２種以上が併用されてもよい。
【０１９５】
以下、実施例を掲げて本発明を更に詳しく説明する。本発明は以下の実施例のみに限定されない。
【０１９６】
（実施例１〜１４及び比較例１，２）
透明部を形成するための組成物の作製：
ポリビニルブチラール樹脂１００重量部と、可塑剤（３ＧＯ）４０重量部とを配合し、ミキシングロールで充分に混練し、透明部を形成するための組成物を得た。
【０１９７】
第１の着色部及び第２の着色部を形成するための組成物の作製：
ポリビニルブチラール樹脂１００重量部と、可塑剤（３ＧＯ）４０重量部と、下記の表１，２に示す種類の着色剤とをミキシングロールで充分に混練し、第１，第２の着色部を形成するための組成物を得た。着色剤の配合量は表１に示す配合量とし、透明部、第１の着色部及び第２の着色部の厚みは得られる合わせガラスの可視光線透過率が、下記の表１，２に示す値となるように設定した。
【０１９８】
中間膜の作製：
下記の表１，２に示す構成（上記構成Ａ、上記構成Ｂ、上記構成Ｃ、又はその他の構成）を備える中間膜を作製した。中間膜の一端と他端とを結ぶ方向の距離（幅方向の長さ）は、下記の表１，２に示すように設定した。中間膜の一端と他端とを結ぶ方向（幅方向）と直交する方向の距離は５０ｃｍとした。
【０１９９】
透明部を形成するための組成物と、第１の着色部及び第２の着色部を形成するための組成物とを、共押出機を用いて共押出して、中間膜を得た。中間膜の面方向において、第１の着色部における第１の未グラデーション部分の長さ、第１の着色部における第１のグラデーション部分の長さ、第２の着色部における第２の未グラデーション部分の長さ、及び第２の着色部における第２のグラデーション部分の長さをそれぞれ、下記の表１，２に示すように設定した。なお、構成Ｂを備える中間膜等では、得られた中間膜の厚み方向にスライスし、得られた中間膜の厚み方向の断面を露出させて、第１，第２の未グラデーション部分の長さ、上記第１，第２のグラデーション部分の長さを測定してもよい。
【０２００】
なお、比較例１では、第１の着色部を形成したが、第２の着色部を形成しなかった。比較例１の中間膜は、上記構成Ａ、上記構成Ｂ、及び上記構成Ｃを備えておらず、その他の構成を備える。比較例２では、第１の着色部及び第２の着色部を形成して、上記構成Ｃに類似する構成を採用したが、上記距離Ｄを５０ｃｍとした。比較例２の中間膜は、上記構成Ａ、上記構成Ｂ、及び上記構成Ｃを備えておらず、その他の構成として上記構成Ｃに類似する構成（上記距離Ｄが３０ｃｍを超える）を備える。
【０２０１】
したがって、実施例１〜１４及び比較例１，２の中間膜は、上記第１のグラデーション部分として、中間膜の上記一端側から上記他端側に向けて可視光線透過率が高くなる部分を有する。実施例１〜１４及び比較例２の中間膜は、上記第２のグラデーション部分として、中間膜の上記他端側から上記一端側に向けて可視光線透過率が高くなる部分を有する。
【０２０２】
合わせガラスの作製：
ＪＩＳ  Ｒ３２０８に準拠した２枚のグリーンガラス（厚み２ｍｍ、縦１００ｃｍ、横５０ｃｍ）を用意した。この２枚のグリーンガラスの間に、グリーンガラスの縦方向と中間膜の一端と他端とを結ぶ方向とが同一方向となるように、また、グリーンガラスの横方向と中間膜の一端と他端とを結ぶ方向と直交する方向とが同一方向とになるように、得られた中間膜を挟み込んだ。次いで、真空ラミネーターにて９０℃で３０分間保持し、真空プレスし、合わせガラスを得た。なお、中間膜の一端と他端とを結ぶ方向の距離（幅方向の長さ）が１ｍを超える場合には、以下のようにして合わせガラスを得た。上記構成Ａを備える中間膜においては、第１のグラデーション部分の先端及び第２のグラデーション部分の先端を、グリーンガラスの縦方向の中央に位置するように２枚のグリーンガラスの間に、得られた中間膜を挟み込んだ。上記構成Ｂ、上記構成Ｃ、又はその他の構成を備える中間膜においては、第１のグラデーション部分の先端及び第２のグラデーション部分の先端から等距離にある位置をグリーンガラスの縦方向の中央に位置するように２枚のグリーンガラスの間に、得られた中間膜を挟み込んだ。更に、グリーンガラスからはみ出た中間膜を切り取って合わせガラスを得た。
【０２０３】
（評価）
（１）可視光線透過率
分光光度計（日立ハイテク社製「Ｕ−４１００」）を用いて、ＪＩＳ  Ｒ３１０６：１９９８に準拠して、得られた合わせガラスの波長３８０ｎｍ
〜７８０ｎｍにおける可視光線透過率（Ｖｉｓｉｂｌｅ  Ｔｒａｎｓｍｉｔｔａｎｃｅ）を測定した。
【０２０４】
得られた合わせガラスについて、可視光線透過率の値をそれぞれ、下記の表１，２に示した。
【０２０５】
１）第１の着色部における第１の未グラデーション部分の可視光線透過率
２）第２の着色部における第２の未グラデーション部分の可視光線透過率
３）合わせガラスの全平面積１００％中、可視光線透過率が６０％以下である部分の平面積の割合
４）合わせガラスの全体の中で、可視光線透過率が最大である部分の可視光線透過率
【０２０６】
（２）外観一体性
合わせガラスを水平方向に対して３０度の角度で設置した。２０名の評価者が、３ｍ離れた位置から、合わせガラス全体を目視で観察し、外観一体性を以下の基準で判定した。表１，２に、○と判定した人数を記載した。
【０２０７】
［外観一体性の判定基準］
○（良好）：グラデーション部分及びその近傍（両側）にて、一体性があるように視認される
×（不良）：グラデーション部分及びその近傍（両側）にて、一体性があるように視認されない
【０２０８】
（３）ライトの表示視認性
合わせガラスを３０℃の角度で設置した。合わせガラスの一端から他端にかけて照射部位を移動させつつ、ＬＥＤライトの光を照射した。２０名の評価者が、３ｍ離れた位置から、光が照射された合わせガラスを目視で観察し、ライトの表示視認性を以下の基準で判定した。表１，２に、○と判定した人数を記載した。
【０２０９】
［表示視認性の判定基準］
○（良好）：グラデーション部分及びその近傍（両側）にて、ライトが良好に視認される
×（不良）：グラデーション部分及びその近傍（両側）にて、ライトが視認されにくい
【０２１０】
詳細及び結果を下記の表１，２に示す。
【０２１１】
【表１】
2019221218.tif 000004
【０２１２】
【表２】
2019221218.tif 000005
【０２１３】
実施例１〜１４で得られた合わせガラスでは、外観一体性に優れていた。また、実施例１〜１４で得られた合わせガラスでは、ライトの表示視認性にも優れていた。なお、実施例１〜１４では、樹脂としてポリビニルアセタール樹脂を用い、着色剤としてカーボンブラックを用いたが、本発明に係る構成を満足することができれば、ポリビニルアセタール樹脂以外の樹脂及びカーボンブラック以外の着色剤を用いたとしても、優れた外観一体性が発揮される。
【符号の説明】
【０２１４】
１，１Ａ，１Ｂ，１Ｃ，１Ｄ，１Ｅ，１Ｆ，１Ｇ…透明部
２，２Ａ，２Ｂ，２Ｄ，２Ｅ，２Ｆ，２Ｇ…第１の着色部
２Ｃ…第１の着色部（第１のグラデーション部分）
２Ｘ，２ＡＸ，２ＢＸ，２ＤＸ，２ＥＸ，２ＦＸ，２ＧＸ…第１のグラデーション部分  ２Ｘａ，２ＡＸａ，２ＢＸａ，２ＤＸａ，２ＥＸａ，２ＦＸａ，２ＧＸａ…先端
２Ｃａ…先端
２Ｙ，２ＡＹ，２ＢＹ，２ＤＹ，２ＥＹ，２ＦＹ，２ＧＹ…第１の未グラデーション部分
３，３Ａ，３Ｂ，３Ｄ，３Ｅ，３Ｆ，３Ｇ…第２の着色部
３Ｃ…第２の着色部（第２のグラデーション部分）
３Ｘ，３ＡＸ，３ＢＸ，３ＤＸ，３ＥＸ，３ＦＸ，３ＧＸ…第２のグラデーション部分  ３Ｘａ，３ＡＸａ，３ＢＸａ，３ＤＸａ，３ＥＸａ，３ＦＸａ，３ＧＸａ…先端
３Ｃａ…先端
３Ｙ，３ＡＹ，３ＢＹ，３ＤＹ，３ＥＹ，３ＦＹ，３ＧＹ…第２の未グラデーション部分
４Ｆ…第３の着色部
１１，１１Ａ，１１Ｂ，１１Ｃ，１１Ｄ，１１Ｅ，１１Ｆ，１１Ｇ…中間膜
１１ａ，１１Ａａ，１１Ｂａ，１１Ｃａ，１１Ｄａ，１１Ｅａ，１１Ｆａ，１１Ｇａ…一端
１１ｂ，１１Ａｂ，１１Ｂｂ，１１Ｃｂ，１１Ｄｂ，１１Ｅｂ，１１Ｆｂ，１１Ｇｂ…他端
２１…第１の合わせガラス部材
２２…第２の合わせガラス部材
３１，３１Ａ，３１Ｂ，３１Ｃ，３１Ｄ，３１Ｅ，３１Ｆ，３１Ｇ…合わせガラス
５１…バックライト又はブレーキライト
Ｅ…着色剤
【図１】
2019221218.tif 000006
【図２】
2019221218.tif 000007
【図３】
2019221218.tif 000008
【図４】
2019221218.tif 000009
【図５】
2019221218.tif 000010
【図６】
2019221218.tif 000011
【図７】
2019221218.tif 000012
【図８】
2019221218.tif 000013
【図９】
2019221218.tif 000014
【図１０】
2019221218.tif 000015
【図１１】
2019221218.tif 000016
【国際調査報告】
2019221218.tif 000017
2019221218.tif 000018
2019221218.tif 000019